【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
暗号論的に署名された記録をセキュアに交換するための方法であって、
ハードウェアプロセッサの制御下で、
受信者の個々の記録を記録受信者デバイスから受信することであって、
前記受信者の個々の記録は、送信者の個々の記録および前記受信者の個々の記録の受信者署名を備え、
前記送信者の個々の記録は、記録コンテンツ要求を前記記録受信者デバイスから受信し、前記記録受信者デバイスを識別した後、記録送信者デバイスによって作成され、
前記送信者の個々の記録は、記録コンテンツ、前記記録送信者デバイスの送信者公開鍵、前記記録受信者デバイスの受信者公開鍵、および前記送信者の個々の記録の送信者署名を備え、
前記送信者署名は、前記記録送信者デバイスの送信者秘密鍵を使用して作成され、前記送信者公開鍵および前記送信者秘密鍵は、送信者公開鍵暗号対を形成し、
前記受信者の個々の記録は、
前記送信者の個々の記録を前記記録送信者デバイスから受信することと、
前記記録受信者デバイスを介して、前記送信者公開鍵に少なくとも部分的に基づいて、前記送信者の個々の記録を照合することと
を行った後、前記記録受信者デバイスによって作成され、
前記受信者署名は、前記記録受信者デバイスの受信者秘密鍵に少なくとも部分的に基づいて作成され、前記受信者公開鍵および前記受信者秘密鍵は、受信者公開鍵暗号対を形成する、ことと、
前記受信者公開鍵に少なくとも部分的に基づいて、前記受信者の個々の記録を照合することと、
前記受信者の個々の記録によって命令されるように、前記記録受信者デバイスのために実施し、前記記録コンテンツ要求を介して要求されたコンテンツを提供することと、
共通記録を中央記録から生成することであって、前記中央記録は、前記送信者公開鍵、前記受信者公開鍵、前記記録送信者デバイスのユーザ記録ステータス、および前記記録受信者デバイスのユーザ記録ステータスを備える、ことと、
前記記録送信者のユーザ記録ステータスが、処理プラットフォームが前記受信者の個々の記録によって命令されるように実施することを禁止することを判定することと、
前記記録送信者デバイスを違反リストに追加することと
を含む、方法。
【請求項２】
前記記録受信者デバイスを識別することは、パートナ識別を実施することを含み、パートナ識別は、コンテンツ認可、ノッキング、物理的インジケーション、ビーム形成、事前の合意、粗略検証、または任意のそれらの組み合わせを含む、請求項１に記載の方法。
【請求項３】
前記送信者の個々の記録は、記録識別子をさらに備える、請求項１に記載の方法。
【請求項４】
前記送信者の個々の記録を前記記録受信者デバイスから受信することは、短距離リンクを介して直接的にまたは中間デバイスを通して、前記送信者の個々の記録を前記記録送信者デバイスから受信することを含む、請求項１に記載の方法。
【請求項５】
前記受信者の個々の記録は、引き換え専用裏書、クエリ裏書、悪意のある記録裏書、または任意のそれらの組み合わせをさらに含む、請求項１に記載の方法。
【請求項６】
前記送信者の個々の記録は、前記記録送信者デバイスによって記録送信者の認証情報を受信後に作成され、前記受信者の個々の記録は、前記記録受信者デバイスによって記録受信者の認証情報を受信後に作成される、請求項１〜５のいずれか１項に記載の方法。
【請求項７】
共通記録を前記記録送信者デバイスまたは前記記録受信者デバイスに提供することをさらに含み、前記共通記録は、前記送信者公開鍵および前記受信者公開鍵を備える、請求項１〜５のいずれか１項に記載の方法。
【請求項８】
暗号論的に署名された記録をセキュアに交換するための方法であって、
ハードウェアプロセッサの制御下で、
コンテンツ要求を記録受信者デバイスから受信することと、
前記記録受信者デバイスを識別することと、
送信者の個々の記録を作成することであって、
前記送信者の個々の記録は、記録コンテンツ、記録送信者デバイスの送信者公開鍵、前記記録受信者デバイスの受信者公開鍵、および前記送信者の個々の記録の送信者署名を備え、
前記送信者署名は、前記記録送信者デバイスの送信者秘密鍵を使用して作成され、前記送信者公開鍵および前記送信者秘密鍵は、送信者公開鍵暗号対を形成する、ことと、
前記送信者の個々の記録を前記記録受信者デバイスに送信することと、
前記記録受信者デバイスのインジケーションを受信することと、
前記送信者の個々の記録を受信することと、
前記記録受信者デバイスを介して、前記送信者公開鍵に少なくとも部分的に基づいて、前記送信者の個々の記録を照合することと、
受信者の個々の記録を作成することであって、前記受信者の個々の記録は、前記送信者の個々の記録と前記受信者の個々の記録の受信者署名とを備え、前記受信者署名は、前記記録受信者デバイスの受信者秘密鍵に少なくとも部分的に基づいて作成され、前記受信者公開鍵および前記受信者秘密鍵は、受信者公開鍵暗号対を形成する、ことと、
処理プラットフォームと前記受信者の個々の記録を引き換えることと、
前記受信者の個々の記録によって命令されるように前記処理プラットフォームによる実施を受け、記録コンテンツ要求を介して要求されたコンテンツを提供することと、
共通記録を中央記録から生成することであって、前記中央記録は、前記送信者公開鍵、前記受信者公開鍵、前記記録送信者デバイスのユーザ記録ステータス、および前記記録受信者デバイスのユーザ記録ステータスを備える、ことと、
前記記録送信者のユーザ記録ステータスが、前記処理プラットフォームが前記受信者の個々の記録によって命令されるように実施することを禁止することを判定することと、
前記記録送信者デバイスを違反リストに追加することと
を含む、方法。
【請求項９】
前記コンテンツ要求は、前記受信者公開鍵および要求されるコンテンツを備え、前記記録コンテンツは、前記要求されるコンテンツに関連する、請求項８に記載の方法。
【請求項１０】
前記送信者署名は、前記送信者秘密鍵を使用して、前記記録送信者デバイスのセキュア要素によって作成され、前記送信者秘密鍵は、前記記録送信者デバイスのセキュア要素内に記憶される、請求項８〜９のいずれか１項に記載の方法。
【請求項１１】
暗号論的に署名された記録をセキュアに交換するための方法であって、
ハードウェアプロセッサの制御下で、
コンテンツ要求を記録送信者デバイスに送信することと、
送信者の個々の記録を前記記録送信者デバイスから受信することであって、
前記送信者の個々の記録は、前記コンテンツ要求を記録受信者デバイスから受信し、前記記録受信者デバイスを識別後、前記記録送信者デバイスによって作成され、
前記送信者の個々の記録は、記録コンテンツ、前記記録送信者デバイスの送信者公開鍵、前記記録受信者デバイスの受信者公開鍵、および前記送信者の個々の記録の送信者署名を備え、
前記送信者署名は、前記記録送信者デバイスの送信者秘密鍵を使用して作成され、前記送信者公開鍵および前記送信者秘密鍵は、送信者公開鍵暗号対を形成する、ことと、
前記記録受信者デバイスを介して、前記送信者公開鍵に少なくとも部分的に基づいて、前記送信者の個々の記録を照合することと、
受信者の個々の記録を作成することであって、前記受信者の個々の記録は、前記送信者の個々の記録と前記受信者の個々の記録の受信者署名とを備え、
前記受信者署名は、前記記録受信者デバイスの受信者秘密鍵に少なくとも部分的に基づいて作成され、
前記受信者公開鍵および前記受信者秘密鍵は、受信者公開鍵暗号対を形成する、ことと、
処理プラットフォームと前記受信者の個々の記録を引き換えることと、
前記受信者の個々の記録によって命令されるように前記処理プラットフォームによる実施を受け、記録コンテンツ要求を介して要求されたコンテンツを提供することと、
共通記録を中央記録から生成することであって、前記中央記録は、前記送信者公開鍵、前記受信者公開鍵、前記記録送信者デバイスのユーザ記録ステータス、および前記記録受信者デバイスのユーザ記録ステータスを備える、ことと、
前記記録送信者デバイスのユーザ記録ステータスが、前記処理プラットフォームが前記受信者の個々の記録によって命令されるように実施することを禁止することを判定することと、
前記支払者デバイスを違反リストに追加することと
を含む、方法。
【請求項１２】
前記コンテンツ要求は、前記受信者公開鍵および要求されるコンテンツを備え、前記記録コンテンツは、前記要求されるコンテンツに関連する、請求項１１に記載の方法。
【請求項１３】
前記送信者の個々の記録を照合することは、前記送信者公開鍵を使用して、前記送信者署名が前記送信者秘密鍵を使用して作成されたことを判定することを含む、請求項１１に記載の方法。
【請求項１４】
前記受信者署名は、前記受信者秘密鍵を使用して、前記記録受信者デバイスのセキュア要素を使用して作成され、前記受信者秘密鍵は、前記記録受信者デバイスのセキュア要素内に記憶される、請求項１１〜１３のいずれか１項に記載の方法。
【請求項１５】
共通記録を前記記録送信者デバイスに送信することをさらに含む、請求項１１に記載の方法。
【請求項１６】
共通記録を前記記録送信者デバイスから受信することをさらに含み、前記共通記録は、前記送信者公開鍵および前記受信者公開鍵を備える、請求項１１に記載の方法。
【請求項１７】
前記共通記録は、前記共通記録の第３の署名をさらに備え、前記第３の署名は、前記処理プラットフォームの第３の秘密鍵を使用して作成され、
前記方法は、前記処理プラットフォームの第３の公開鍵を使用して、前記共通記録を照合することをさらに含み、
前記第３の公開鍵および前記第３の秘密鍵は、第３の公開鍵暗号対を形成し、
前記共通記録を照合することは、前記第３の公開鍵を使用して、前記第３の署名が前記第３の秘密鍵を使用して作成されたことを判定することを含む、請求項１５〜１６のいずれか１項に記載の方法。
【請求項１８】
前記送信者の個々の記録を照合することは、オフラインで実施される、請求項１に記載の方法。
【請求項１９】
前記送信者の個々の記録を照合することは、オフラインで実施される、請求項８に記載の方法。
【請求項２０】
前記送信者の個々の記録を照合することは、オフラインで実施される、請求項１１に記載の方法。
【手続補正２】
【補正対象書類名】明細書
【補正対象項目名】００１２
【補正方法】変更
【補正の内容】
【００１２】
本明細書に説明される主題の１つ以上の実装の詳細が、付随の図面および以下の説明に記載される。他の特徴、側面、および利点が、説明、図面、および請求項から明白となるであろう。本発明の概要または以下の発明を実施するための形態のいずれも、本発明の主題の範囲を定義もしくは限定することを意味しない。
本発明は、例えば、以下を提供する。
（項目１）
暗号論的に署名された記録をセキュアに交換するための方法であって、
ハードウェアプロセッサの制御下で、
受信者の個々の記録を記録受信者デバイスから受信することであって、
前記受信者の個々の記録は、送信者の個々の記録および前記受信者の個々の記録の受信者署名を備え、
前記送信者の個々の記録は、記録コンテンツ要求を前記記録受信者デバイスから受信し、前記記録受信者デバイスを識別した後、記録送信者デバイスによって作成され、
前記送信者の個々の記録は、記録コンテンツ、前記記録送信者デバイスの送信者公開鍵、前記記録受信者デバイスの受信者公開鍵、および前記送信者の個々の記録の送信者署名を備え、
前記送信者署名は、前記記録送信者デバイスの送信者秘密鍵を使用して作成され、前記送信者公開鍵および前記送信者秘密鍵は、送信者公開鍵暗号対を形成し、
前記受信者の個々の記録は、
前記送信者の個々の記録を前記記録送信者デバイスから受信することと、
必ずしも処理プラットフォームと通信せずに、前記送信者公開鍵を使用して、前記送信者の個々の記録を照合することと
を行った後、前記記録受信者デバイスによって作成され、
前記受信者署名は、前記記録受信者デバイスの受信者秘密鍵を使用して作成され、前記受信者公開鍵および前記受信者秘密鍵は、受信者公開鍵暗号対を形成する、ことと、
前記受信者の個々の記録を照合することと、
前記受信者の個々の記録によって命令されるように、前記記録受信者デバイスのために実施することと
を含む、方法。
（項目２）
前記記録受信者デバイスを識別することは、パートナ識別を実施することを含み、パートナ識別は、コンテンツ認可、ノッキング、物理的インジケーション、ビーム形成、事前の合意、粗略検証、または任意のそれらの組み合わせを含む、項目１に記載の方法。
（項目３）
前記送信者の個々の記録はさらに、記録識別子を備える、項目１に記載の方法。
（項目４）
前記送信者の個々の記録を前記記録受信者デバイスから受信することは、短距離リンクを介して直接的にまたは中間デバイスを通して、前記送信者の個々の記録を前記記録送信者デバイスから受信することを含む、項目１に記載の方法。
（項目５）
前記短距離リンクは、ピアツーピア通信リンクである、項目４に記載の方法。
（項目６）
前記受信者の個々の記録はさらに、引き換え専用裏書、クエリ裏書、悪意のある記録裏書、または任意のそれらの組み合わせを含む、項目１に記載の方法。
（項目７）
前記送信者の個々の記録は、前記記録送信者デバイスによって記録送信者の認証情報を受信後に作成され、前記受信者の個々の記録は、前記記録受信者デバイスによって記録受信者の認証情報を受信後に作成される、項目１−６のいずれか１項に記載の方法。
（項目８）
共通記録を前記記録送信者デバイスまたは前記記録受信者デバイスに提供することをさらに含み、前記共通記録は、前記送信者公開鍵および前記受信者公開鍵を備える、項目１−６のいずれか１項に記載の方法。
（項目９）
前記共通記録を中央記録から生成することをさらに含み、前記中央記録は、前記送信者公開鍵、前記受信者公開鍵、前記記録送信者デバイスのユーザ記録ステータス、および前記記録受信者デバイスのユーザ記録ステータスを備える、項目１−６のいずれか１項に記載の方法。
（項目１０）
前記記録送信者のユーザ記録ステータスが、前記処理プラットフォームが前記受信者の個々の記録によって命令されるように前記記録受信者デバイスを実施させることを禁止することを判定することと、
前記支払者デバイスを違反リストに追加することと
をさらに含む、項目９に記載の方法。
（項目１１）
暗号論的に署名された記録をセキュアに交換するための方法であって、
ハードウェアプロセッサの制御下で、
コンテンツ要求を記録受信者デバイスから受信することと、
前記記録受信者デバイスを識別することと、
送信者の個々の記録を作成することであって、
前記送信者の個々の記録は、記録コンテンツ、記録送信者デバイスの送信者公開鍵、前記記録受信者デバイスの受信者公開鍵、および前記送信者の個々の記録の送信者署名を備え、
前記送信者署名は、前記記録送信者デバイスの送信者秘密鍵を使用して作成され、前記送信者公開鍵および前記送信者秘密鍵は、送信者公開鍵暗号対を形成する、ことと、
前記送信者の個々の記録を前記記録受信者デバイスに送信することと、
前記記録受信者デバイスのインジケーションを受信することと、
前記送信者の個々の記録を受信することと、
必ずしも処理プラットフォームと通信せずに、前記送信者公開鍵を使用して、前記送信者の個々の記録を照合することと、
受信者の個々の記録を作成することであって、前記受信者の個々の記録は、前記送信者の個々の記録および前記受信者の個々の記録の受信者署名を備え、前記受信者署名は、前記記録受信者デバイスの受信者秘密鍵を使用して作成され、前記受信者公開鍵および前記受信者秘密鍵は、受信者公開鍵暗号対を形成する、ことと、
前記処理プラットフォームと前記受信者の個々の記録を引き換えることと、
前記受信者の個々の記録によって命令されるように前記処理プラットフォームによる実施を受けることと
を含む、方法。
（項目１２）
前記コンテンツ要求は、前記受信者公開鍵および要求されるコンテンツを備え、前記記録コンテンツは、前記要求されるコンテンツに関連する、項目１１に記載の方法。
（項目１３）
前記送信者署名は、前記送信者秘密鍵を使用して、前記記録送信者デバイスのセキュア要素によって作成され、前記送信者秘密鍵は、前記記録送信者デバイスのセキュア要素内に記憶される、項目１１−１２のいずれか１項に記載の方法。
（項目１４）
暗号論的に署名された記録をセキュアに交換するための方法であって、
ハードウェアプロセッサの制御下で、
コンテンツ要求を記録送信者デバイスに送信することと、
送信者の個々の記録を前記記録送信者デバイスから受信することであって、
前記送信者の個々の記録は、前記コンテンツ要求を記録受信者デバイスから受信し、前記記録受信者デバイスを識別後、前記記録送信者デバイスによって作成され、
前記送信者の個々の記録は、記録コンテンツ、前記記録送信者デバイスの送信者公開鍵、前記記録受信者デバイスの受信者公開鍵、および前記送信者の個々の記録の送信者署名を備え、
前記送信者署名は、前記記録送信者デバイスの送信者秘密鍵を使用して作成され、前記送信者公開鍵および前記送信者秘密鍵は、送信者公開鍵暗号対を形成する、ことと、
必ずしも処理プラットフォームと通信せずに、前記送信者公開鍵を使用して、前記送信者の個々の記録を照合することと、
受信者の個々の記録を作成することであって、前記受信者の個々の記録は、前記送信者の個々の記録および前記受信者の個々の記録の受信者署名を備え、
前記受信者署名は、前記記録受信者デバイスの受信者秘密鍵を使用して作成され、
前記受信者公開鍵および前記受信者秘密鍵は、受信者公開鍵暗号対を形成する、ことと、
前記処理プラットフォームと前記受信者の個々の記録を引き換えることと、
前記受信者の個々の記録によって命令されるように前記処理プラットフォームによる実施を受けることと
を含む、方法。
（項目１５）
前記コンテンツ要求は、前記受信者公開鍵および要求されるコンテンツを備え、前記記録コンテンツは、前記要求されるコンテンツに関連する、項目１４に記載の方法。
（項目１６）
前記送信者の個々の記録を照合することは、前記送信者公開鍵を使用して、前記送信者署名が前記送信者秘密鍵を使用して作成されたことを判定することを含む、項目１４に記載の方法。
（項目１７）
前記受信者署名は、前記受信者秘密鍵を使用して、前記記録受信者デバイスのセキュア要素を使用して作成され、前記受信者秘密鍵は、前記記録受信者デバイスのセキュア要素内に記憶される、項目１４−１６のいずれか１項に記載の方法。
（項目１８）
共通記録を前記記録送信者デバイスに送信することをさらに含む、項目１４に記載の方法。
（項目１９）
共通記録を前記記録送信者デバイスから受信することをさらに含み、前記共通記録は、前記送信者公開鍵および前記受信者公開鍵を備える、項目１４に記載の方法。
（項目２０）
前記共通記録はさらに、前記共通記録の第３の署名を備え、前記第３の署名は、前記処理プラットフォームの第３の秘密鍵を使用して作成され、
前記方法はさらに、必ずしも前記処理プラットフォームと通信せず、前記処理プラットフォームの第３の公開鍵を使用して、前記共通記録を照合することを含み、
前記第３の公開鍵および前記第３の秘密鍵は、第３の公開鍵暗号対を形成し、
前記共通記録を照合することは、前記第３の公開鍵を使用して、前記第３の署名が前記第３の秘密鍵を使用して作成されたことを判定することを含む、項目１８−１９のいずれか１項に記載の方法。